(57)【要約】【課題】本発明は、マイクロホンにより集音された音声を確認しながら、マイクロホンの入力感度の変更を容易に行うことができる一方、マイクロホンにより集音された音声を確認できない場合には、マイクロホンの入力感度の誤調整が生じる可能性を低減できる集音装置を提供することを目的とする。【解決手段】本発明にかかる集音装置は、音声を集音するマイクロホンと、ヘッドホンを接続可能な接続端子と、接続端子にヘッドホンが接続されるのに応じて、マイクロホンの入力感度の変更指示の受け付けを可能とするコントローラと、を備える。【選択図】図１
2012209912.tif 000002
【特許請求の範囲】
【請求項１】
音声を集音し、音声データを生成するマイクロホンと、
ヘッドホンを接続可能な接続端子と、
前記接続端子に前記ヘッドホンが接続されるのに応じて、前記マイクロホンの入力感度の変更指示の受け付けを可能とするコントローラと、を備える、
集音装置。
【請求項２】
被写体像を撮像し、画像データを生成する撮像手段と、
前記画像データと前記音声データとの記憶媒体への記録開始指示を受け付ける受付手段と、
前記画像データが示す画像を示す表示手段と、
をさらに備え、
前記コントローラは、前記マイクロホンの入力感度を設定可能な入力感度設定モードに設定されている場合には前記音声データが示す音声の大きさを示す音声レベルアイコンを前記表示手段に表示し、前記画像データを前記記憶媒体へ記録している場合には前記音声レベルアイコンを前記表示手段に表示しない、
請求項１に記載の集音装置。
【請求項３】
前記コントローラは、前記入力感度設定モードに設定されている場合には、前記受付手段が前記記録開始指示を受け付けたとしても、前記画像データと前記音声データとの記憶媒体への記録を開始しない、
請求項２に記載の集音装置。
【請求項４】
前記コントローラは、前記受付手段が前記記録開始指示を受け付けたことに応じて前記画像データと前記音声データとの記憶媒体への記録を開始可能な撮影モードに設定されている場合には、前記音声レベルアイコンを前記表示手段に表示しない、
請求項２又は３に記載の集音装置。
【請求項５】
前記コントローラは、前記変更指示を受け付けると、前記マイクロホンの入力感度を前記変更指示に応じて変更し、前記音声データに変更後の入力感度に基づく処理を施すことによって処理後音声データを生成する、
請求項１乃至４のいずれかに記載の集音装置。
【請求項６】
前記コントローラは、前記処理後音声データを記憶媒体に記録する、
請求項５に記載の集音装置。
【請求項７】
前記コントローラは、前記接続端子に前記ヘッドホンが接続されている場合には、前記処理後音声データが示す音声を前記接続端子に出力する、
請求項５又は６に記載の集音装置。
【請求項８】
前記コントローラは、前記記憶媒体に前記処理後音声データを記録している際に、前記接続端子に前記ヘッドホンが接続されるのに応じて、前記変更指示の受け付けを可能とする、
請求項６又は７に記載の集音装置。
【請求項９】
前記表示手段上に配置されるタッチパネルをさらに備え、
前記コントローラは、前記変更指示を受け付けるための指示アイコンを前記表示手段に表示するとともに、前記タッチパネルにおける前記変更指示の受け付けを可能とする、
請求項２乃至８のいずれかに記載の集音装置。
【請求項１０】
前記コントローラは、前記指示アイコンと併せて、現在設定されている入力感度を示す入力感度表示アイコンを前記表示手段に表示させる、
請求項９に記載の集音装置。
【請求項１１】
前記コントローラは、前記変更指示を所定時間受け付けないと、前記表示手段における前記指示アイコンの表示を停止する、
請求項９又は１０に記載の集音装置。
【発明の詳細な説明】
【技術分野】
【０００１】
本発明は集音装置に関し、特に、マイクロホンの入力感度を設定可能な集音装置に関する。
【背景技術】
【０００２】
特許文献１は、カラオケ装置を開示する。このカラオケ装置は、再生媒体の再生信号にマイクロホン信号を混合し増幅し、スピーカから拡声するように構成される。このカラオケ装置は、ヘッドホン端子にヘッドホンを接続した状態において、前述のように混合された信号をヘッドホンから音量を自由に調整して聴取することができる。
【先行技術文献】
【特許文献】
【０００３】
【特許文献１】特開昭６１−１６８１６９号公報
【発明の概要】
【発明が解決しようとする課題】
【０００４】
ところで、マイクロホンにより音声を集音する集音装置において、マイクロホンの入力感度をいつでも調整可能であるとすると、入力感度が意図しないものとなってしまう可能性が高くなる。
【０００５】
本発明は、マイクロホンにより集音された音声を確認しながら、マイクロホンの入力感度の変更を容易に行うことができる一方、マイクロホンにより集音された音声を確認できない場合には、マイクロホンの入力感度の誤調整が生じる可能性を低減できる集音装置を提供することを目的とする。
【課題を解決するための手段】
【０００６】
上記課題を解決するために、本発明にかかる集音装置は、音声を集音し、音声データを生成するマイクロホンと、ヘッドホンを接続可能な接続端子と、接続端子にヘッドホンが接続されるのに応じて、マイクロホンの入力感度の変更指示の受け付けを可能とするコントローラと、を備える。
【発明の効果】
【０００７】
本発明によれば、マイクロホンにより集音された音声を確認しながら、マイクロホンの入力感度の変更を容易に行うことができる一方、マイクロホンにより集音された音声を確認できない場合には、マイクロホンの入力感度の誤調整が生じる可能性を低減できる集音装置を提供できる。
【図面の簡単な説明】
【０００８】
【図１】デジタルビデオカメラ１００とヘッドホン５００の斜視図
【図２】デジタルビデオカメラ１００の構成を示すブロック図
【図３】コントローラ１８０の機能構成を示すブロック図
【図４】入力感度設定モードにおける表示モニタ２２０の表示内容を示す模式図
【図５】撮影モードにおける表示モニタ２２０の表示動作を示すフローチャート
【図６】撮影モードにおける表示モニタ２２０の表示遷移を示す模式図
【発明を実施するための形態】
【０００９】
本発明をデジタルビデオカメラに適用した実施の形態１について図面を用いて説明する。
【００１０】
１．実施の形態１
１−１．概要
本実施の形態にかかるデジタルビデオカメラ１００の概要について図１を用いて説明する。図１は、デジタルビデオカメラ１００とヘッドホン５００の斜視図である。デジタルビデオカメラ１００は、マイクロホン２５０とヘッドホン端子２７０とを備える。ヘッドホン端子２７０には、ヘッドホン５００のジャックを接続できる。ヘッドホン端子２７０にヘッドホン５００のジャックが接続されている状態において、ヘッドホン５００は、マイクロホン２５０で集音され、デジタルビデオカメラ１００内で処理された音声データが示す音声を出力できる。
【００１１】
デジタルビデオカメラ１００は、マイクロホン２５０の入力感度を調整できる。デジタルビデオカメラ１００は、ヘッドホン５００が接続されると、マイクロホン２５０の入力感度の変更指示の受け付けを可能とする。これにより、デジタルビデオカメラ１００の使用者は、マイクロホン２５０により集音された音声を確認しながら、マイクロホン２５０の入力感度の変更を容易に行うことができる。また、デジタルビデオカメラ１００の使用者は、マイクロホン２５０により集音された音声を確認できない場合に、マイクロホン２５０の入力感度を誤調整しにくくなる。
【００１２】
１−２．デジタルビデオカメラ１００の構成
本実施の形態にかかるデジタルビデオカメラ１００の電気的構成について図２を用いて説明する。図２は、デジタルビデオカメラ１００の構成を示すブロック図である。デジタルビデオカメラ１００は、１又は複数のレンズからなる光学系１１０により形成された被写体像をＣＭＯＳイメージセンサ１４０（本発明の「撮像手段」の一例）で撮像する。ＣＭＯＳイメージセンサ１４０で生成された画像データは、画像処理部１６０で各種処理が施され、メモリカード２００に格納される。以下、デジタルビデオカメラ１００の構成を詳細に説明する。
【００１３】
光学系１１０は、ズームレンズやフォーカスレンズにより構成される。ズームレンズを光軸に沿って移動させることにより、被写体像の拡大、縮小をすることができる。また、フォーカスレンズを光軸に沿って移動させることにより、被写体像のピントを調整することができる。
【００１４】
レンズ駆動部１２０は、光学系１１０に含まれる各種レンズを駆動する。レンズ駆動部１２０は、例えばズームレンズを駆動するズームモータや、フォーカスレンズを駆動するフォーカスモータを含む。
【００１５】
絞り４００は、使用者の設定に応じて若しくは自動で、開口部の大きさを調整し、透過する光の量を調整する。
【００１６】
シャッタ１３０は、ＣＭＯＳイメージセンサ１４０に透過させる光を遮光するための手段である。
【００１７】
ＣＭＯＳイメージセンサ１４０は、光学系１１０で形成された被写体像を撮像して、画像データを生成する。ＣＭＯＳイメージセンサ１４０は、露光、転送、電子シャッタなどの各種動作を行う。
【００１８】
Ａ／Ｄコンバータ１５０は、ＣＭＯＳイメージセンサ１４０で生成されたアナログ画像データをデジタル画像データに変換する。
【００１９】
画像処理部１６０は、ＣＭＯＳイメージセンサ１４０で生成された画像データに対して各種処理を施し、表示モニタ２２０に表示するための画像データを生成したり、メモリカード２００に格納するための画像データを生成したりする。例えば、画像処理部１６０は、ＣＭＯＳイメージセンサ１４０で生成された画像データに対して、ガンマ補正、ホワイトバランス補正、傷補正などの各種処理を行う。また、画像処理部１６０は、ＣＭＯＳイメージセンサ１４０で生成された画像データを、Ｈ．２６４規格やＭＰＥＧ２規格に準拠した圧縮形式等により圧縮する。画像処理部１６０は、ＤＳＰやマイコンなどで実現可能である。
【００２０】
コントローラ１８０は、デジタルビデオカメラ全体を制御する制御手段である。コントローラ１８０は、半導体素子などで実現可能である。コントローラ１８０は、ハードウェアのみで構成してもよいし、ハードウェアとソフトウェアとを組み合わせることにより実現してもよい。コントローラ１８０は、マイコンなどで実現できる。
【００２１】
ここで、コントローラ１８０は、撮影モード、入力感度設定モード、あるいは再生モードのうちいずれかのモードに設定可能である。撮影モードとは、使用者から画像データの撮影の記録開始指示を受けつけ可能なモードである。以下の説明では、撮影モード中であって記録開始指示の受けつけ前の状態を「撮影待機状態」と称し、撮影モード中であって記録開始指示の受けつけ後の状態を「撮影状態」と称する。入力感度設定モードとは、マイクロホン２５０の入力感度を調整可能なモードである。本実施の形態において、入力感度設定モードでは、使用者からの記録開始指示を受けつけ不可であるが、これに限られるものではない。再生モードとは、メモリカード２００から読み出した画像データが示す画像を表示モニタ２２０に表示可能なモードである。
【００２２】
本実施の形態において、コントローラ１８０は、入力感度設定モードに設定されているときだけでなく、撮影モードに設定されている場合であって所定の条件を満たすときには、マイクロホン２５０の入力感度を調整できる。所定の条件とは、ヘッドホン端子２７０（本発明に係る「接続端子」の一例）にヘッドホン５００（図１参照）が接続されたことである。コントローラ１８０の機能構成および動作については後述する。
【００２３】
バッファ１７０は、画像処理部１６０及びコントローラ１８０のワークメモリとして機能する。バッファ１７０は、例えば、ＤＲＡＭ、強誘電体メモリなどで実現できる。
【００２４】
カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１６０で生成された画像ファイル等のデータを格納可能である。
【００２５】
内部メモリ２４０は、フラッシュメモリや強誘電体メモリなどで構成される。内部メモリ２４０は、デジタルビデオカメラ１００全体を制御するための制御プログラム等を記憶している。
【００２６】
操作部材２１０（本発明の「操作部材」の一例）は、使用者からの操作を受け付けるユーザーインターフェースの総称である。操作部材２１０は、例えば、使用者からの操作を受け付ける十字キーや決定釦等である。本実施の形態において、操作部材２１０は、撮影モード、入力感度設定モードあるいは再生モードのうちいずれかの選択を受けつけるモード選択ダイヤル（不図示）を有する。モード選択ダイヤルは、選択されたモードを示すモード信号をコントローラ１８０に出力する。また、操作部材２１０は、撮影モード中に画像データの記録開始指示を受けつける記録開始指示釦（不図示）を有する。記録開始指示釦は、記録開始指示釦が押下されたことを示す記録開始信号をコントローラ１８０に出力する。  表示モニタ２２０（本発明の「表示手段」の一例）は、ＣＭＯＳイメージセンサ１４０で生成した画像データが示す画像（スルー画像）や、メモリカード２００から読み出した画像データが示す画像を表示可能である。また、表示モニタ２２０は、デジタルビデオカメラ１００の各種設定を行うための各種メニュー画面等も表示可能である。
【００２７】
タッチパネル２３０は、表示モニタ２２０上に設けられている。使用者によりタッチパネル２３０上の任意の位置がタッチされると、タッチパネル２３０は、使用者によりタッチされた位置の座標情報をコントローラ１８０に通知する。
【００２８】
マイクロホン２５０は、音声を集音し、音声データを生成する。マイクロホン２５０は、５．１ｃｈサラウンドの音声を集音し、５．１ｃｈの音声データを生成できる。Ａ／Ｄコンバータ２８０は、マイクロホン２５０で生成されたアナログ音声データをデジタル音声データに変換する。
【００２９】
ヘッドホン端子２７０は、ヘッドホン５００等の出力装置を接続するための端子である。ヘッドホン端子２７０にヘッドホン５００等の出力装置が接続されると、コントローラ１８０は、音声をヘッドホン５００等の出力装置に出力する。
【００３０】
１−３．コントローラ１８０の機能構成
図３は、本実施の形態に係るコントローラ１８０の機能構成を示す機能ブロック図である。コントローラ１８０は、図３に示すように、音声処理部１８１、ヘッドホン接続判断部１８２、音声データ伝送部１８３、画像データ伝送部１８４、表示制御部１８５および入力感度取得部１８６を備える。
【００３１】
音声処理部１８１は、Ａ／Ｄコンバータ２８０で生成されたデジタル音声データに対して各種処理を施す。例えば、音声処理部１８１は、入力感度取得部１８６において現在設定されている入力感度に基づいて音声データにゲイン調整処理を施すことによって、処理後音声データを生成する。音声処理部１８１は、入力感度取得部１８６において入力感度が変更された場合には、変更後の入力感度に基づいてゲイン調整処理を行う。また、音声処理部１８１は、取得した音声データに対してエンコード処理やデコード処理を施す。音声処理部１８１は、各種処理が施された音声データを音声データ伝送部１８３に出力する。
【００３２】
ヘッドホン接続判断部１８２は、ヘッドホン端子２７０にヘッドホン５００が接続されたか否かを判断する。ヘッドホン接続判断部１８２は、判断結果を音声データ伝送部１８３および表示制御部１８５に通知する。
【００３３】
音声データ伝送部１８３は、音声処理部１８１から出力される音声データに基づいて、音声の大きさを示すデータを表示制御部１８５に出力する。また、音声データ伝送部１８３は、ヘッドホン端子２７０にヘッドホン５００が接続された旨の通知をヘッドホン接続判断部１８２から取得すると、音声データをヘッドホン端子２７０に出力する。また、音声データ伝送部１８３は、操作部材２１０からの記録開始信号に応じて、音声データをメモリカード２００に伝送する。
【００３４】
画像データ伝送部１８４は、画像処理部１６０から出力される画像データを表示制御部１８５に出力する。また、画像データ伝送部１８４は、操作部材２１０からの記録開始信号に応じて、画像データをメモリカード２００に伝送する。
【００３５】
表示制御部１８５は、操作部材２１０からのモード信号に応じて、表示モニタ２２０の表示内容を制御する。
【００３６】
具体的に、表示制御部１８５は、モード信号が入力感度設定モードを示す場合、現在設定されているマイクロホン２５０の入力感度を入力感度取得部１８６から取得するとともに、現在マイクロホン２５０が集音している音声データを音声データ伝送部１８３から取得する。そして、表示制御部１８５は、入力感度の大きさを示すアイコン、集音された音声の大きさを示すアイコン、および入力感度を変更するためのアイコンを表示モニタ２２０に表示させる。この際、表示制御部１８５は、画像データ伝送部１８４から伝送される画像データによって示される画像（スルー画像）を各種アイコンとともに表示モニタ２２０に表示させることができる。
【００３７】
一方で、表示制御部１８５は、モード信号が撮影モードを示す場合、撮影待機状態か撮影状態かに関わらず、スルー画像を表示モニタ２２０に表示させる。この際、表示制御部１８５は、ヘッドホン端子２７０にヘッドホン５００が接続された旨の通知をヘッドホン接続判断部１８２から取得すると、入力感度の大きさを示すアイコンおよび入力感度を変更するためのアイコンを表示モニタ２２０に表示させる。表示制御部１８５の動作および表示モニタ２２０の表示内容については後述する。
【００３８】
なお、表示制御部１８５は、入力感度取得部１８６から変更後の入力感度が入力された場合、変更後の入力感度の大きさを示すアイコンの表示を変更する。
【００３９】
入力感度取得部１８６は、入力感度を変更するためのアイコンを示す座標情報がタッチパネル２３０から通知されたかを判断する。入力感度取得部１８６は、入力感度を変更するためのアイコンを示す座標情報が通知された場合、当該座標情報に応じて入力感度を変更する。入力感度取得部１８６は、変更後の入力感度を音声処理部１８１および表示制御部１８５に出力する。
【００４０】
１−４．コントローラ１８０の動作
（１）．入力感度設定モードにおける入力感度の設定
入力感度設定モードについて図４を用いて説明する。図４は、入力感度設定モードにおける表示モニタ２２０の表示内容を示す模式図である。使用者は、操作部材２１０のうちのモード選択ダイヤルを操作し、デジタルビデオカメラ１００を入力感度設定モードに設定できる。入力感度設定モードに設定されると、コントローラ１８０は、図４に示すような各種アイコンを表示モニタ２２０に表示開始する。
【００４１】
入力感度表示アイコン２９０は、現在設定されているマイクロホン２５０の入力感度を示すバーアイコンである。入力感度表示アイコン２９０の各ブロックは、それぞれ入力感度を示す。本実施の形態では、−３０（ｄＢ）〜６（ｄＢ）の範囲で入力感度を設定できる。入力感度表示アイコン２９０のうち、色が付されているブロックが現在設定されている入力感度を示す。
【００４２】
入力感度変更アイコン３００と入力感度変更アイコン３１０とは、マイクロホン２５０の入力感度を変更するためのアイコンである。使用者は、入力感度変更アイコン３００、若しくは入力感度変更アイコン３１０をタッチすることで、マイクロホン２５０の入力感度の設定状態を変更できる。例えば、使用者が入力感度変更アイコン３１０をタッチすることで、入力感度表示アイコン２９０のうちの色が付されている部分が一つ右側に移動し、マイクロホン２５０の入力感度が１レベル上がる。また、使用者が入力感度変更アイコン３００をタッチすることで、入力感度表示アイコン２９０のうちの色が付されている部分が一つ左側に移動し、マイクロホン２５０の入力感度が１レベル下がる。
【００４３】
また、音声レベルアイコン３２０と音声レベルアイコン３３０と音声レベルアイコン３４０と音声レベルアイコン３５０と音声レベルアイコン３６０とは、現在マイクロホン２５０が集音している音声の大きさを示すアイコンである。各アイコンは、マイクロホン２５０の５ｃｈの各マイクロホンが集音しているそれぞれの音声の大きさを示す。各アイコンの各ブロックは、各マイクロホンが集音している音声の大きさのレベルを示す。アイコンの全てのブロックに色が付されている状態は、マイクロホンが集音可能な最大の大きさの音声を集音している状態を示す。また、アイコンの全てのブロックに色が付されていない状態は、マイクロホンが音声を集音していない状態を示す。
【００４４】
このように、デジタルビデオカメラ１００は、入力感度設定モードに設定されている状態において、表示モニタ２２０に、入力感度表示アイコン２９０と入力感度変更アイコン３００と入力感度変更アイコン３１０とを表示し、さらに、音声レベルアイコン３２０〜３６０を表示する。音声レベルアイコン３２０〜３６０を表示することで、仮に、デジタルビデオカメラ１００にヘッドホン５００が接続されていなかったとしても、使用者は、現在マイクロホン２５０の各マイクロホンが集音している音声の大きさのレベルを視認しながら、マイクロホン２５０の入力感度を設定できる。
【００４５】
（２）．撮影モードにおける入力感度の設定
上述したように、使用者は、デジタルビデオカメラ１００が撮影モードに設定されている場合においても所定の条件を満たす場合には、マイクロホン２５０の入力感度を調整できる。本項目では、撮影モードに設定されている場合のマイクロホン２５０の入力感度の設定について図５、図６を用いて説明する。図５は、撮影モードにおける表示モニタ２２０の表示動作を説明するためのフローチャートである。図６は、撮影モードにおける表示モニタ２２０の表示遷移を示す模式図である。
【００４６】
使用者は、操作部材２１０のうちのモード選択ダイヤルを操作することにより、デジタルビデオカメラ１００を撮影モードに設定できる（Ｓ１００）。この状態で、表示モニタ２２０は、図６（ａ）が示すような画像（スルー画像）を表示する。つまり、この状態で、表示モニタ２２０は、マイクロホン２５０の入力感度を調整するためのアイコン等を表示しない。デジタルビデオカメラ１００が撮影モードに設定されると、コントローラ１８０は、ヘッドホン端子２７０にヘッドホン５００が接続されたか否かを判断する（Ｓ１１０）。
【００４７】
ヘッドホン５００が接続されたと判断すると、コントローラ１８０は、マイクロホン２５０を介して生成された音声データが示す音声のヘッドホン５００への出力を開始する（Ｓ１２０）。ヘッドホン５００への音声の出力を開始すると、コントローラ１８０は、図６（ｂ）に示すように、入力感度表示アイコン２９０、入力感度変更アイコン３００、入力感度変更アイコン３１０のようなマイクロホン２５０の入力感度に関するアイコンの表示を開始するよう表示モニタ２２０を制御する（Ｓ１３０）。
【００４８】
表示モニタ２２０が入力感度に関するアイコンの表示を開始すると、コントローラ１８０は、使用者によりマイクロホン２５０の入力感度の変更指示がされたかを判断する（Ｓ１４０）。具体的には、コントローラ１８０は、入力感度変更アイコン３００若しくは入力感度変更アイコン３１０を示す座標情報がタッチパネル２３０から通知されたかを判断する。
【００４９】
入力感度の変更指示がされたと判断すると、コントローラ１８０は、指示されたレベルの入力感度へと入力感度の設定を変更する（Ｓ１５０）。
【００５０】
なお、デジタルビデオカメラ１００のモードが撮影モード以外の他のモードに変更されると、デジタルビデオカメラ１００は、図５が示すフローチャートの制御から抜ける。
【００５１】
また、図５においては、ヘッドホン５００が接続された後、ヘッドホン５００の接続が解除された場合について表していないが、この場合には、コントローラ１８０は、入力感度表示アイコン２９０、入力感度変更アイコン３００、入力感度変更アイコン３１０の表示を停止するよう表示モニタ２２０を制御し（つまり、図６（ａ）のような表示をするよう表示モニタ２２０を制御し）、再度、ヘッドホン５００が接続されるまで待機する（ステップＳ１１０に戻る）。
【００５２】
１−５．作用および効果
このように、本実施の形態にかかるデジタルビデオカメラ１００は、音声を集音するマイクロホン２５０と、ヘッドホンを接続可能なヘッドホン端子２７０と、ヘッドホン端子２７０にヘッドホンが接続されると、マイクロホン２５０の入力感度の変更指示の受け付けを可能とするコントローラ１８０と、を備える。これにより、デジタルビデオカメラ１００は、マイクロホン２５０により集音された音声を確認しながら、マイクロホン２５０の入力感度の変更を容易に行うことができる一方、マイクロホン２５０により集音された音声を確認できない場合には、マイクロホン２５０の入力感度の誤調整が生じる可能性を低減できる。
【００５３】
つまり、本実施の形態にかかるデジタルビデオカメラ１００は、ヘッドホン５００が接続されている場合には、撮影モードに設定されている場合であっても、マイクロホン２５０の入力感度の変更指示を受け付け可能としている。これは、ヘッドホン５００が接続されている場合には、使用者は、マイクロホン２５０が集音している音声をヘッドホン５００を介して確認しながら、マイクロホン２５０の入力感度を変更でき、大変便利なためである。その一方で、ヘッドホン５００が接続されていない場合には、使用者は、マイクロホン２５０が集音している音声を確認できない。この場合に、マイクロホン２５０の入力感度を変更可能とすると、使用者は、マイクロホン２５０の入力感度を意図しないレベルに設定してしまう可能性もある。そこで、デジタルビデオカメラ１００は、撮影モードに設定されている場合に、ヘッドホン５００が接続されていない場合には、マイクロホン２５０の入力感度の設定を制限することとした。
【００５４】
また、本実施の形態にかかるデジタルビデオカメラ１００は、被写体像を撮像し、画像データを生成するＣＭＯＳイメージセンサ１４０と、ＣＭＯＳイメージセンサ１４０により生成された画像データのメモリカード２００への記録開始指示を受け付ける操作部材２１０のうちの記録開始指示釦と、をさらに備え、マイクロホン２５０の入力感度を設定可能であるが、記録開始指示釦が記録開始指示を受け付けない入力感度設定モードと、記録開始指示釦が記録開始指示を受け付け可能である撮影モードとに設定可能であって、入力感度設定モードに設定されている場合には、表示モニタ２２０は、メモリカード２００に記録する音声データが示す音声の大きさを示す音声レベルアイコン３２０〜３６０を表示し、撮影モードに設定されている場合には、表示モニタ２２０は、メモリカード２００に記録する音声データが示す音声の大きさを示す音声レベルアイコン３２０〜３６０を表示しない。このように構成している理由について次に説明する。撮影モードにおいては、実際に撮影している画像を確認しながら撮影を行いたいという使用者の要望が強い。撮影モードに設定されている場合に、あまりに多くのアイコンを表示モニタ２２０に表示することは避けるべきである。そこで、撮影モードに設定されている場合には、表示モニタ２２０は、メモリカード２００に記録する音声データが示す音声の大きさを示す音声レベルアイコン３２０〜３６０を表示しないこととした。これにより、入力感度設定モードのようにそもそも撮影を目的としないモードに設定されている場合には、表示モニタ２２０を入力感度の設定のために最大限に活かすことができる一方、撮影モードのように撮影中の画像の視認を優先的に行うことが必要なモードに設定されている場合には、表示モニタ２２０へのアイコンの表示を少なめに抑えることができる。
【００５５】
２．他の実施の形態
以上により、本発明の実施の形態として、実施の形態１を説明した。しかし、本発明は、これらには限定されない。そこで、本発明の他の実施の形態を本欄にまとめて説明する。
【００５６】
上記の実施の形態では、撮像手段として、ＣＭＯＳイメージセンサ１４０を例示したが、撮像手段はこれに限定されない。例えば、撮像手段を、ＣＣＤイメージセンサやＮＭＯＳイメージセンサで構成してもよい。
【００５７】
また、画像処理部１６０とコントローラ１８０とは、１つの半導体チップで構成してもよく、別々の半導体チップで構成してもよい。
【００５８】
また、実施の形態１においては、マイクロホン２５０を５．１ｃｈのマイクロホンとした。しかしながら、必ずしもこのような構成である必要はない。例えば、１ｃｈのマイクロホンであってもよいし、２ｃｈのマイクロホンであってもよいし、７．１ｃｈのマイクロホンであってもよい。要するに、音声を集音するマイクロホンであればどのようなものであってもよい。
【００５９】
また、実施の形態１においては、デジタルビデオカメラ１００が撮影モードに設定されている場合であって、デジタルビデオカメラ１００にヘッドホン５００が接続されている場合には、表示モニタ２２０に、常時、入力感度表示アイコン２９０、入力感度変更アイコン３００、入力感度変更アイコン３１０を表示することとした。しかしながら、必ずしもこのような構成とする必要はない。例えば、ヘッドホン５００が接続されてから所定時間、マイクロホン２５０の入力感度の変更指示がなされない場合には、入力感度表示アイコン２９０、入力感度変更アイコン３００、入力感度変更アイコン３１０の表示を停止させたり、入力感度表示アイコン２９０の表示だけを停止して入力感度変更アイコン３００および入力感度変更アイコン３１０の表示を残したり、或いは、入力感度表示アイコン２９０の表示だけを残して入力感度変更アイコン３００および入力感度変更アイコン３１０の表示を停止させたりしてもよい。これにより、表示モニタ２２０へ表示するアイコンの量をさらに低減できる。
【００６０】
また、実施の形態１においては、マイクロホン２５０の入力感度の設定をタッチパネル２３０を介して行うこととした。しかしながら、必ずしもこのような構成とする必要はない。例えば、入力感度を設定するための釦を物理的に設けてもよい。この場合には、デジタルビデオカメラにヘッドホンが接続されている場合には、入力感度設定の釦入力が有効である一方、ヘッドホンが接続されていない場合には、入力感度設定の釦入力が無効となる。
【００６１】
また、実施の形態１においては、入力感度表示アイコン２９０を表示モニタ２２０に表示することとした。しかしながら、必ずしもこのような構成とする必要はない。例えば、入力感度の大きさを示す発光釦を物理的に設けてもよい。これにより、表示モニタ２２０へ表示するアイコンの量をさらに低減できる。
【００６２】
また、実施の形態１においては、コントローラ１８０は、撮影モード中にヘッドホン５００が接続されている場合であれば、撮影待機状態であるか撮影状態であるかに関わらず、音声レベルアイコン３２０〜３６０を表示しないこととしたが、これに限られるものではない。コントローラ１８０は、撮影モード中にヘッドホン５００が接続されている場合であっても、撮影待機状態であるときには音声レベルアイコン３２０〜３６０を表示することとしてもよい。
【産業上の利用可能性】
【００６３】
本発明は、デジタルビデオカメラやデジタルスチルカメラ等の音声を集音できる集音装置に適用できる。
【符号の説明】
【００６４】
１００  デジタルビデオカメラ
１１０  光学系
１２０  レンズ駆動部
１３０  シャッタ
１４０  ＣＣＤイメージセンサ
１５０  Ａ／Ｄコンバータ
１６０  画像処理部
１７０  バッファ
１８０  コントローラ
１９０  カードスロット
２００  メモリカード
２１０  操作部材
２２０  表示モニタ
２３０  タッチパネル
２４０  内部メモリ
【図２】
2012209912.tif 000003
【図３】
2012209912.tif 000004
【図５】
2012209912.tif 000005
【図１】
2012209912.tif 000006
【図４】
2012209912.tif 000007
【図６】
2012209912.tif 000008